(57)【特許請求の範囲】
【請求項１】
前身頃に左右一対のカップ部が添えられたカップ付き女性用衣類において、
前記カップ部の上部と前記前身頃を連結する伸縮性素材で構成され、前記カップ部を前記前身頃から吊り下げるカップ吊り部材と、
前記カップ部の下部と前記前身頃の脇部分および前中心部分を連結する伸縮性素材で構成され、着用状態において左右それぞれの前記カップ部に対し、左右の脇側に向う斜め下方向の引っ張り力を生じさせると共に、前中心側に向う斜め下方向の引っ張り力を生じさせるカップ引き部材と、
を備えることを特徴とするカップ付き女性用衣類。
【請求項２】
前身頃に左右一対のカップ部が添えられたカップ付き女性用衣類において、
前記カップ部の上部と前記前身頃を連結する伸縮性素材で構成され、前記カップ部を前記前身頃から吊り下げるカップ吊り部材と、
前記カップ部の下部と前記前身頃の脇部分を連結する伸縮性素材で構成され、着用状態において左右それぞれの前記カップ部に対し、左右の脇側に向う斜め下方向の引っ張り力を生じさせるカップ引き部材と、を備え、
前記カップ引き部材の前下部分は、当該カップ引き部材の左右一対の脇下部分を互いに引き寄せる方向の引っ張り力を生じさせる
ことを特徴とするカップ付き女性用衣類。
【請求項３】
前記カップ部は、下部を底辺とし上部を頂点とする略三角形状をなしていることを特徴とする請求項１または２記載のカップ付き女性用衣類。
【請求項４】
前記カップ吊り部材は、前記カップ部の上部と前記前身頃の首側縁部または腕側縁部を連結する吊り紐を含むことを特徴とする請求項１〜３のいずれか記載のカップ付き女性用衣類。
【請求項５】
前記カップ吊り部材は、前記カップ部の脇側縁部または前中心側縁部の少なくともいずれか一方と前記前身頃を連結する土台布を含み、この土台布は伸縮性を有することを特徴とする請求項１〜４のいずれか記載のカップ付き女性用衣類。
【請求項６】
前記カップ引き部材は、前記カップ部の下側縁部と前記前身頃を連結する紐材、テープ材または土台布を含むことを特徴とする請求項１〜５のいずれか記載のカップ付き女性用衣類。
【請求項７】
前記カップ引き部材は、前記カップ部の下側縁部と前記前身頃の脇部分を連結する第１の紐材、テープ材または土台布を含むと共に、前記カップ部の下側縁部と前記前身頃の前中心部分を連結する第２の紐材、テープ材または土台布を含むことを特徴とする請求項１、３〜６のいずれか記載のカップ付き女性用衣類。
【発明の詳細な説明】
【０００１】
【発明の属する技術分野】
本発明はカップ付き女性用衣類に関し、特に運動機能性が必要とされるカップ付き女性用運動衣類（例えば婦人用水着）に好適に応用される。
【０００２】
【従来の技術】
いわゆるカップ内蔵タイプの婦人用水着の従来例として、実開平６−５４７１６号公報や登録実用新案第３０６５９５２号公報の技術が知られている。このような従来例では、左右一対のカップ部を前身頃に沿わせて設けると共に、その上部と前身頃を伸縮性の紐やテープで連結することが行われている。そして、カップ部の下部は土台布を介して前身頃に縫着等することが行われている。
【０００３】
【発明が解決しようとする課題】
上記のようなカップ内蔵タイプの婦人用水着では、カップはバストの動きに追随し難く、着崩れしやすい欠点があった。また、下垂気味のバストや豊満なバストでは、カップがバストに載った状態でバスト下部がカップからはみ出してしまったり、カップ上部が浮き上がることがあった。そして、カップ部がバストから摩り上がったらそのまま止まり、バストラインが崩れて着用者に不快感を与える等の欠点があった。
【０００４】
そこで本発明は、カップ部がバストの動きに好適に追随するようにしたカップ付き女性用衣類（特に婦人用水着のようなカップ付き女性用運動衣類）を提供することを目的とする。
【０００５】
【課題を解決するための手段】
上記の課題を解決するため、本発明者はカップ内蔵型の婦人用水着（従来タイプ）を着用した女性に挙手等の上半身の運動をさせ、その時のカップ部とバストの動きを調べた。その結果、挙手等の腕の動きに伴いバストは大きく上下に動くが、内蔵タイプのカップ部はバストの動きに追随し難く、特に下方向の追随性が充分でないと安定しないことが判明した。
【０００６】
そこで本発明の第１態様は、前身頃に左右一対のカップ部が添えられたカップ付き女性用衣類において、カップ部の上部と前身頃を連結する伸縮性素材で構成され、カップ部を前身頃から吊り下げるカップ吊り部材と、カップ部の下部と前身頃の脇部分および前中心部分を連結する伸縮性素材で構成され、着用状態において左右それぞれのカップ部に対し、左右の脇側に向う斜め下方向の引っ張り力を生じさせると共に、前中心側に向う斜め下方向の引っ張り力を生じさせるカップ引き部材と、を備えることを特徴とする。
【０００７】
本発明によれば、着用状態において左右それぞれのカップ部に独立（個別）に作用する二方向の引っ張り力（左右の脇側に向う斜め下方向と、前中心側に向う斜め下方向の引っ張り力）の合力が下方向に働くことになるので、カップ引き部材による下方向の引き下げ力とカップ吊り部材による上方向の引上げ力とがバランスし、カップ部をバストの動きに追随させることとなる。
【０００８】
また、本発明の第２態様は、前身頃に左右一対のカップ部が添えられたカップ付き女性用衣類において、カップ部の上部と前身頃を連結する伸縮性素材で構成され、カップ部を前身頃から吊り下げるカップ吊り部材と、カップ部の下部と前身頃の脇部分を連結する伸縮性素材で構成され、着用状態において左右それぞれのカップ部に対し、左右の脇側に向う斜め下方向の引っ張り力を生じさせるカップ引き部材と、を備え、このカップ引き部材の前下部分は、当該カップ引き部材の左右一対の脇下部分を互いに引き寄せる方向の引っ張り力を生じさせることを特徴とする。
【０００９】
本発明によれば、左右のカップ部の下部に位置するカップ引き部材の前下部分（前下土台布の部分）には、着用状態において左右の脇下部分（脇下土台布の部分）を互いに引き寄せ合う方向の引っ張り力が加わることとなり、この力がカップ引き部材に加わった状態で、左のカップ部にはカップ引き部材によって左の脇側斜め下方向に引っ張る力が働き、右のカップ部にはカップ引き部材によって右の脇側斜め下方向に引っ張る力が働くので、これらの合力は下方向に働く。このため、カップ引き部材による下方向の引き下げ力とカップ吊り部材による上方向の引上げ力とがバランスし、カップ部をバストの動きに追随させることとなる。
【００１０】
本発明に係るカップ付き女性用衣類において、カップ部は、下部を底辺とし上部を頂点とする略三角形状をなしていることを特徴としても良く、このようにすればカップ引き部材を好適にカップ部に取り付けることが出来る。
【００１１】
本発明に係るカップ付き女性用衣類において、カップ吊り部材は、カップ部の上部と前身頃の首側縁部または腕側縁部を連結する吊り紐を含むことを特徴としても良く、またカップ吊り部材は、カップ部の脇側縁部または前中心側縁部の少なくともいずれか一方と前身頃を連結する土台布を含み、この土台布は伸縮性を有することを特徴としても良く、このようにすればカップ部を好適に前身頃に連結し得る。
【００１２】
本発明に係るカップ付き女性用衣類において、カップ引き部材は、カップ部の下側縁部と前身頃を連結する紐材、テープ材または土台布を含むことを特徴としても良く、またカップ引き部材は、カップ部の下側縁部と前身頃の脇部分を連結する第１の紐材、テープ材または土台布を含むと共に、カップ部の下側縁部と前身頃の前中心部分を連結する第２の紐材を含むことを特徴としても良い。
【００１３】
【発明の実施の形態】
以下、添付図面を参照して、本発明の実施形態を説明する。なお、図面の説明において、同一の要素には同一の符号を付し、重複する説明を省略する。
【００１４】
図１は、本発明の第１態様に係る婦人用水着（カップ付き女性用運動衣類の一種）の胸部近傍を肌側から見た平面図、図２は、図１に示す婦人用水着の全体構成を示す斜視図である。図２に示す通り、婦人用ワンピース水着は前身頃１と後身頃２で構成され、前身頃１の接ぎライン９に沿う胸部の前中心にはフロントファスナー３が設けられて着脱時に開閉可能となっている。
【００１５】
図１に示す通り、前身頃１の内側（肌側）には左右一対のカップ４が添えられており、これは下部を底辺とし上部を頂点とする略三角形状をなしている。そして、三角形の各辺（底辺、脇側斜辺および前側斜辺）に沿うように３本のカップ縁紐４１〜４３が添えられ、これを介して縫着された４枚の土台布１１〜１４により前身頃１に連結されている。
【００１６】
すなわち、カップ４の脇側斜辺に沿うように脇側カップ縁紐４１が設けられ、この脇側カップ縁紐４１には脇上土台布１１が縫着されている。そして、脇側カップ縁紐４１はカップ４の頂点から更に前中心の上側方向に伸び、前身頃１の首側縁部１７に縫着されている。同様に、カップ４の前側斜辺に沿うように前側カップ縁紐４２が設けられ、この前側カップ縁紐４２には前上土台布１２が縫着されている。そして、前側カップ縁紐４２はカップ４の頂点から更に脇の上側方向に伸び、前身頃１の腕側縁部１８に縫着されている。
【００１７】
この時、前上土台布１２の縁部に縫着された前側カップ縁紐４２は、脇上土台布１１及び脇側カップ縁紐４１の肌側に重なるように添えられており、相互に縫着等されることなく自由に動き得る。そして、カップ４の頂点から更に上方へ延びる２本のカップ縁紐４１、４２と、カップ４の左右の斜辺に縫着された２枚の土台布１１、１２は、いずれも伸縮性に富む素材で形成されている。このため、着用者が腕を大きく上げた（挙手した）時には、これらが協働してカップ４に対してバランスの良い引上げ力を与えることとなる。
【００１８】
一方、脇下土台布１３と前下土台布１４は概ね台形状をなし、略三角形のカップ４の底辺に沿うように設けられた下側カップ縁紐４３を介してカップ４に縫着されており、脇下土台布１３と前下土台布１４の縁辺（概ね台形状の短辺）はカップ４の下部（若干の前中心寄り）で相互に縫着されている。そして、脇下土台布１３の脇側末端部と前下土台布１４の前中心側末端部（概ね台形状の長辺）は、それぞれ前身頃１に縫着等で連結されている。
【００１９】
ここで特徴的なことは、脇下土台布１３と前下土台布１４のそれぞれの下辺が、相互の縫着位置から両側（脇側と前中心側）に向って斜めに下がっている（傾斜している）ことである。そして、この土台布１３、１４の斜めの下辺に沿って、充分な引っ張り力が生じる伸縮性の素材（端部始末不要なヘムパワーネット等）が用いられていることである。このため、着用状態においてカップ４に対し、脇下土台布１３は脇側に向う斜め下方向の引っ張り力を生じさせる一方、前下土台布１４前中心側に向う斜め下方向の引っ張り力を生じさせる。
【００２０】
ここで、脇下土台布１３と前下土台布１４の構造をより詳細に説明するために、図１に点線で示したように、脇下土台布１３の脇側末端と前下土台布１４の前下側末端の距離（当接される前身頃のわたり長さ、とも言う。）をａ、前下土台布１４の下辺の長さをｂ、脇下土台布１３の下辺の長さをｃと定義する。図１の例では、（ｂ＋ｃ）＜ａとなるような寸法設定がなされており、前下土台布１４と脇下土台布１３の下縁となるｂとｃは、縫着前の布の状態では短いものを用い、縫着の際に引き伸ばして元の布の寸法より長くして縫着している。こうすることで、前下土台布１４と脇下土台布１３の下縁により大きなパワーがかかる構造になっている。
【００２１】
その程度については、Ｍサイズにおいてａ＝１５cm、ｂ＋ｃ＝１４cmであり、ｂ＋ｃはａの約９３％である。なお、ｂ＋ｃはａの８５〜９５％にできるが、９０〜９３％が好適である。
【００２２】
実施形態に係る婦人用水着の各パーツの素材を略説すると、脇上土台布１１及び前上土台布１２にはパワーネット、ツーウェイトリコット、丸編布地等を用いることができ、脇下土台布１３及び前下土台布１４には端部始末不要なヘムパワーネット、パワーネット、ストレッチレース、ツーウェイトリコット（これらの布を二つに折り返して、折り返し部分を前下土台布１４と脇下土台布１３の下方端部としても良い。）、ストレッチテープ等を用いることができる。カップ４にはウレタン成型品、不織布成型品、樹脂成型品の他に、縫製による成型品（不織布、ダブルラッセル、ウレタン等の樹脂シートを芯材にして縫製したもの。）を適用できる。
【００２３】
次に、図１，２に示す婦人用水着の作用を、図３〜図６を参照して説明する。図３は婦人用水着の胸部近傍を見た時の概念図、図４はカップ４を上下方向に切断したときの概念図、図５は図３の状態（実線の状態）から着用者が腕を振り上げた時の動きを破線で示した概念図、図６は腕を振り上げた状態（図５の破線の状態）から腕を降ろした時の動きを破線で示した概念図である。
【００２４】
図３に示す通り、カップ４の上部に対しては、脇上土台布１１によって脇側斜辺に沿う方向の引っ張り力Ｆ１が働き、前上土台布１２によって前側斜辺に沿う方向の引っ張り力Ｆ２が働く。このため、着用者が腕を振り上げると、これに連れてバストも上方に移動するが、カップ４も引っ張り力Ｆ１，２の合力により引き上げられ、バストの動きに追随することとなる。
【００２５】
また、カップ４の下部に対しては、脇下土台布１３によって脇下に向う斜め下方向の引っ張り力Ｆ３が働き、前下土台布１４によって前中心の下方に向う斜め下方向の引っ張り力Ｆ４が働く。この引っ張り力Ｆ３，Ｆ４は幾つかの優れた作用をもたらす。
【００２６】
例えば、脇上土台布１１、前上土台布１２、吊り紐等によりカップ４が上方に引かれると、脇下土台布１３と前下土台布１４によって斜め下方向に引っ張られる力が拮抗して、カップ４が定位置に固定され、大きくズレたりすることがない。また、脇上土台布１１、前上土台布１２、脇下土台布１３、前下土台布１４や吊り紐は伸縮性素材で構成されていることから、運動追随性が有るので腕の振りのような運動に伴う皮膚伸展にカップ４が追随しながらも元に戻ろうとする力が働く。このため、運動時にもカップ４がズリ上がる等の着崩れが生じることがない。
【００２７】
この場合、従来のカップ構造では上方へ吊る構造のものもあるが、下方に引くような構造のものは存在しなかった。このため、従来の問題であったカップがズリ上がるという欠点を克服できるばかりか、カップ４の下縁を肌に密着させ得るので、バストアップ等の乳房を綺麗に造型する効果も生じる。
【００２８】
これらの作用・効果を見方を変えて言えば、図４，５に示すようなバストアップ作用とかカップ引き下げ作用が含まれる。
【００２９】
参考までに、バストアップ作用を図示すると、図４のようになる。カップ４の下部に伸縮性の優れた布材（脇下土台布１３及び前下土台布１４）を表地である前身頃１より短くして角度を付けて取り付ければ、これら脇下土台布１３及び前下土台布１４は着用者のバスト下部（アンダー付近）に密着する。この密着させる力（バストを押し付ける力）はバストに近い脇下土台布１３及び前下土台布１４の上部ほど小さく（図４において、Ｆ５＜Ｆ６）、したがってバストを上方に押し上げる力Ｆ７を生じさせる。そして、これがバストアップ効果をもたらすこととなる。
【００３０】
次に、カップ引き下げ作用を図示すると、図５及び図６のようになる。腕を上げない通常の状態では、水着は図５の実線のようになっているが、腕を上げると点線の状態にシフトする。すなわち、脇上土台布１１と前上土台布１２による引っ張り力Ｆ２でカップ４は上方に引き上げられ、これにより脇下土台布１３と前下土台布１４も引き上げられる。このため、脇下土台布１３の下辺と前下土台布１４の下辺との交叉角が小さく（鋭角に）なり、引っ張り力Ｆ１，２による引上げ力と引っ張り力Ｆ３，４による引き下げ力がバランスした状態で、カップ４はバストの位置に保持される。
【００３１】
腕を上げた状態から腕を下げると、図６の実線から破線のようにシフトする。すなわち、脇上土台布１１と前上土台布１２による引っ張り力が小さくなるので、脇下土台布１３と前下土台布１４による引き下げ力（引っ張り力Ｆ３と引っ張り力Ｆ４の合力）によりカップ４は下方に引き下げられる。このため、脇下土台布１３の下辺と前下土台布１４の下辺との交叉角が大きく（鈍角に）なり、引っ張り力Ｆ１，２による引上げ力と引っ張り力Ｆ３，４による引き下げ力がバランスした状態で、カップ４はバストの位置に保持される。
【００３２】
実施形態に係る婦人用水着は、折れ曲がった状態の伸縮性部材（脇下土台布１３と前下土台布１４の下辺に相当）を長手方向に引っ張れば、なるべく直線に近い形状になろうとする（もとに戻ろうとする）性質を利用したものであり、ゴムの応力を利用してカップを元の位置に安定させるものと言い得る。これによれば、バストの動きにカップを好適に追随し得るだけでなく、バストアップ効果も期待できる。
【００３３】
ちなみに、実施形態に係る婦人用水着を開発するにあたって、本発明者はカップ内蔵型の従来タイプのワンピース水着を着用した女性に、大きく片手を振り上げる挙手等の運動（上半身の運動）をさせ、その時のカップ部とバストの動きを調べた。その結果、挙手等の腕の動きに伴い、主として挙手した方のバストは大きく上下に動くが、内蔵タイプのカップはバストの動きに追随して上下に動き難く、特に下方向の追随性が充分でない場合には、カップからバストがはみ出したりするなど安定しないことが判明した。
【００３４】
しかし、実施形態に係る婦人用水着の場合には、脇下土台布１３および前下土台布１４（カップ引き部材）による下方向の引き下げ力と、脇上土台布１１および前上土台布１２（カップ吊り部材）による上方向の引上げ力とがバランスし、カップ４をバストの動きに追随させることが可能となった。また、下垂気味のバストや豊満なバストであっても、また激しい上半身の運動を伴う場合でも、カップ４がバストに載った状態でバスト下部がカップ４からはみ出してしまったり、カップ４の上部が浮き上がるような不具合は生じなかった。そして、バストラインが崩れて着用者に不快感を与える、というような従来品の欠点も克服でき、併せてバストアップ効果も望めることが判明した。更に付言すると、運動時のバストの揺れ防止に効果があり、サイズの融通性も高まることが判明した。
【００３５】
図７は、本発明の第２態様に係る婦人用水着（カップ付き女性用運動衣類の一種）の胸部近傍を肌側から見た平面図、図８は、図７に示す婦人用水着の全体構成を示す斜視図である。図８に示す通り、婦人用ワンピース水着は前身頃１と後身頃２で構成されているが、図２とは異なり前身頃１に接ぎラインはなく、フロントファスナーも設けられていない。
【００３６】
図７に示す通り、前身頃１の内側（肌側）には左右一対のカップ４が添えられており、これは下部を底辺とし上部を頂点とする略三角形状をなしている。そして、三角形の各辺（底辺、脇側斜辺および前側斜辺）に沿うように３本のカップ縁紐４１〜４３が添えられ、これを介して縫着された４枚の土台布１１〜１４により前身頃１に連結されている。
【００３７】
ここで、図１の構成と異なる点は、第１に前上土台布１２が左右別体ではなく一体となっていること、第２に前下土台布１４も左右別体ではなく一体となって前中心部で前身頃１には縫着されていないこと、第３に前下土台布１４の下辺が前中心の下方向に斜めではなく水平になっていること、の３点である。
【００３８】
この実施形態の場合にも、伸縮性素材からなる前上土台布１２及び前側カップ縁紐４２と、同じく伸縮性素材からなる脇上土台布１１及び脇側カップ縁紐４１とは、カップ４の頂点より上方では相互に縫着等されることなく自由に動き得る。したがって、着用者が腕を大きく上げた（挙手した）時には、これらが協働してカップ４に対してバランスの良い引上げ力を与えることとなる。一方、脇下土台布１３は概ね台形状をなし、略三角形のカップ４の底辺に沿うように設けられた下側カップ縁紐４３を介してカップ４の脇側下部に縫着されており、前中心側で前下土台布１４の両端部にそれぞれ縫着されている。そして、左右の脇下土台布１３の脇側末端部は、それそれ前身頃１の左右の脇側に縫着等で連結されている。
【００３９】
ここで特徴的なことは、脇下土台布１３の下辺が前下土台布１４との縫着位置から脇側に向って斜めに下がっており、この脇下土台布１３の斜めの下辺と前下土台布１４の水平方向の下辺に沿って、充分な引っ張り力が生じる伸縮性の素材（端部始末不要なヘムパワーネット等）が用いられていることである。このため、着用状態においてカップ４に対し、左右の脇下土台布１３は脇側に向う斜め下方向の引っ張り力を生じさせる一方、前下土台布１４は左右一対の脇下土台布１３を相互に引き寄せる引っ張り力を生じさせる。
【００４０】
このため、図７，８の婦人用水着の場合には、左右の脇側に向う斜め下方向の引っ張り力（左右の脇下土台布１３による引っ張り力）が、左右のカップ４を一体として下方に引き下げる作用をするので、着用状態では、左右の脇下土台布１３（カップ引き部材）による下方向の引き下げ力と、脇上土台布１１および前上土台布１２（カップ吊り部材）による上方向の引上げ力とがバランスし、カップ４をバストの動きに追随させることが可能となる。
【００４１】
本発明は上記の実施形態に限定されず、図９〜図１６に示すような種々の変形が可能である。いずれの場合にも、図１〜図８の実施形態と同様の作用・効果を奏する。
【００４２】
図９の変形例では、カップ４に引上げ力を与える伸縮性の土台布１０が脇側と前中心側で一枚となっている。また、カップ４の下側縁部に縫着された脇下土台布１３と前下土台布１４は、それぞれ略三角形状をなして底辺は前身頃１の前中心と脇部に縫着される。そして、土台布１３，１４の上側の斜辺がカップ４及び土台布１０の下縁に縫着されており、これらはカップ４の下方で互いに縫着されることなく、交叉するように重ねて設けられている。
【００４３】
図１０の変形例では、カップ４の脇側縁部には伸縮性の土台布１０が設けられているが、前中心側縁部には土台布は設けられていない。その代わりに、カップ４の前中心側端部には左右のカップ４を連結するテープ材１００が縫着されている。そして、カップ４の底辺には二本のテープ材１０３，１０４が縫着されている。すなわち、テープ材１０３の一端は前中心の前身頃１に縫着され、他端はカップ４の下側縁部の脇寄りに縫着されている。また、テープ材１０４の一端は脇側の前身頃１に縫着され、他端はカップ４の下側縁部の前中心寄りに縫着されている。
【００４４】
図１１の変形例では、カップ引上げ部材としての土台布はなく、代わりに吊り紐１０５が設けられている。吊り紐１０５の下端はカップ４の上端に縫着され、上端は肩ストラップ兼用の腕側縁部紐１９と首側縁部１７の交差点付近で前身頃１に縫着されている。また、カップ４の下縁部には伸縮性の土台布１０が縫着され、その下辺にはカップの下縁部中心に向って湾曲する形状の伸縮性テープ材１０６が縫着されている。なお、吊り紐１０５としては、織物や編み物による細幅のテープ材や組み紐等を用いることが可能で、あまり伸びない方が好ましいが、多少の伸縮性があることが運動追随性の点で好ましい。
【００４５】
図１２，１３は、図１１の吊り紐１０５の別の取り付け態様を示しており、図１２では吊り紐１０５は前身頃１の腕側縁部１８に縫着され、図１３では吊り紐１０５は前身頃１の首側縁部１７に縫着されている。なお、カップ４の下縁部の伸縮性土台布１０や下辺の伸縮性テープ材１０６については、図１１の変形例と異なる点がない。
【００４６】
図１４の変形例では、土台布１０は折り畳まれて（又は、二重にされて）袋状になっており、この袋の内部にカップ４が入れられて縫着等で固定されている。袋状土台布１０の上側縁部は前身頃１の首側縁部１７や腕側縁部１８に縫着され、下側縁部には伸縮性のテープ材１０７が縫い付けられて中間部（図中の矢印Ａの位置）で摘ままれて屈折させられている。
【００４７】
本発明は、婦人用水着やフィットネスウエアのようなカップ付き女性用運動衣類に限らず、通常の女性用衣類としてのブラジャーやカップ付きドレス、カップ付きＴシャツ、ショートトップ、カップ付きランジェリー等にも適用できる。
【００４８】
例えばブラジャーとしては、図１５のようなカップ４が前身頃１の肌側に添えられるインナーカップタイプのブラジャーの他、図１６のようにカップ４が前身頃１の前側（外側）に添えられるトップスタイプのブラジャーにも適用できる。図１５において、カップ４の下側縁部には図１の実施形態と同様の脇下土台布１３と前下土台布１４が縫着されており、これらは前身頃１の肌側なので前側から見ることは出来ない。図１６において、カップ４の下側縁部には図７の実施形態と同様の脇下土台布１３と前下土台布１４が縫着されている。そして、カップ引上げ部材は腕側縁部１８で前身頃１に縫着された吊り紐１０５で構成されている。
【００４９】
【発明の効果】
本発明のカップ付き女性用衣類によれば、着用状態において左右のカップ部に作用する二方向の引っ張り力の合力が下方向に働くことになるので、カップ引き部材による下方向の引き下げ力とカップ吊り部材による上方向の引上げ力とがバランスし、カップ部をバストの動きに追随させることとなる。このため、激しい上半身の運動を伴う場合はもちろん、下垂気味のバストや豊満なバストでも、バストラインが崩れて着用者に不快感を与える、というような不具合を克服でき、併せてバストアップ効果も望める効果がある。
【図面の簡単な説明】
【図１】本発明の第１態様に係る婦人用水着（カップ付き女性用運動衣類の一種）の胸部近傍を肌側から見た平面図である。
【図２】図１に示す婦人用水着の全体構成を示す斜視図である。
【図３】肌側より婦人用水着の胸部近傍を見た時の概念図である。
【図４】カップ４を上下方向に切断したときの概念図である。
【図５】図３の状態（実線の状態）から着用者が腕を振り上げた時の動きを破線で示した概念図である。
【図６】腕を振り上げた状態（図５の破線の状態）から腕を降ろした時の動きを破線で示した概念図である。
【図７】本発明の第２態様に係る婦人用水着（カップ付き女性用運動衣類の一種）の胸部近傍を肌側から見た平面図である。
【図８】図７に示す婦人用水着の全体構成を示す斜視図である。
【図９】本発明の変形態様を説明する図である。
【図１０】本発明の変形態様を説明する図である。
【図１１】本発明の変形態様を説明する図である。
【図１２】本発明の変形態様を説明する図である。
【図１３】本発明の変形態様を説明する図である。
【図１４】本発明の変形態様を説明する図である。
【図１５】本発明の変形態様を説明する図である。
【図１６】本発明の変形態様を説明する図である。
【符号の説明】
１・・・前身頃、１１・・・脇上土台布、１２・・・前上土台布、１３・・・脇下土台布、１４・・・前下土台布、２・・・後身頃、３・・・フロントファスナー、４・・・カップ。
【図１】
0003765993.tif 000002
【図２】
0003765993.tif 000003
【図３】
0003765993.tif 000004
【図４】
0003765993.tif 000005
【図５】
0003765993.tif 000006
【図６】
0003765993.tif 000007
【図７】
0003765993.tif 000008
【図８】
0003765993.tif 000009
【図９】
0003765993.tif 000010
【図１０】
0003765993.tif 000011
【図１１】
0003765993.tif 000012
【図１２】
0003765993.tif 000013
【図１３】
0003765993.tif 000014
【図１４】
0003765993.tif 000015
【図１５】
0003765993.tif 000016
【図１６】
0003765993.tif 000017